(57)【要約】  【課題】  実行に際してパラメータを参照する機能を多数有し、使用者がパラメータを設定しようとする機能を容易に選択することができる画像処理装置を提供する。  【解決手段】  画像処理装置(1)は、タッチパネルおよびテンキーを含む操作部(16)、操作画面を表示する表示部(17)、機能と番号とを対応付けて記憶する対応記憶部(18)、ならびに操作画面の表示態様を記憶する画面記憶部(19)を備え、あらかじめ機能とテンキーの操作によって入力された番号とを対応付けて記憶部(18)に記憶しておき、テンキーの操作によって番号が入力されたときに、その番号に対応付けている機能が選択されたものとする。また、複数の機能の選択を受け付け、それらの機能のパラメータを設定するための操作画面をまとめて表示部(17)に表示する。その際、操作画面の表示態様を選択された機能の数に応じて変える。【選択図】      図１
2005268835.tif 000002
【特許請求の範囲】
【請求項１】
実行に際してパラメータを参照する複数の機能を有する画像処理装置であって、表示部を備え、所定の基本画面を表示部に表示し、基本画面を表示している状態で使用者から所定の指示が与えられたときに、使用者に機能を選択させるために複数の機能を表した機能選択画面を表示部に表示し、機能選択画面に表した機能のいずれかが選択されたときに、選択された機能のパラメータを設定するためのパラメータ設定画面を表示部に表示するものにおいて、
値を入力するための複数のキーを備え、
使用者からの指示に従って機能とキー操作により入力される値とを対応付けて記憶しておき、
表示部に基本画面を表示している状態でキー操作により値が入力されたときに、入力された値に対応付けている機能のパラメータ設定画面を表示部に表示する
ことを特徴とする画像処理装置。
【請求項２】
実行に際してパラメータを参照する複数の機能を有する画像処理装置であって、表示部を備え、使用者に機能を選択させるために複数の機能を表した機能選択画面を表示部に表示し、機能選択画面に表した機能のいずれかが選択されたときに、選択された機能のパラメータを設定するためのパラメータ設定画面を表示部に表示するものにおいて、
機能選択画面を表示している状態で複数の機能の選択を受け付け、
パラメータ設定画面を表示するときに、表示部の表示領域を選択された機能の数に応じた数に区分けして、選択された全ての機能のパラメータ設定画面を一度に表示する
ことを特徴とする画像処理装置。
【請求項３】
パラメータ設定画面の態様を選択された機能の数に応じて変えることを特徴とする請求項２に記載の画像処理装置。
【発明の詳細な説明】
【技術分野】
【０００１】
本発明は、画像処理装置に関し、特に、その操作性の向上に関する。
【背景技術】
【０００２】
複写機、ファクシミリ装置、プリンタ、イメージスキャナ等の画像処理装置には、操作案内、装置の設定状況等を表示するための表示部が設けられている。表示部としては、一般に、表示面積が広く一度に多くの情報を表示することが可能な液晶表示器が用いられる。画像処理装置はいくつかの機能を有しており、また、実行に際してパラメータを参照することが必要な機能もある。例えば、複写機やプリンタは画像を縮小・拡大する機能を有するものが多いが、縮小・拡大の倍率をパラメータとして設定する必要がある。
【０００３】
パラメータを設定する機能を使用者が容易に選択できるようにするために、選択可能な機能を表す選択画面を表示部に表示することが行われている。使用者は選択画面に表された機能のうち所望のものを選択するだけで、簡単にその機能のパラメータを設定するための画面を表示させることができる。通常、パラメータにはデフォルトの値が用意されており、パラメータ設定画面を表示した時点では各パラメータにデフォルトの値が設定され、使用者は必要に応じてパラメータの値を変更する。
【０００４】
しかし、近年では、画像の処理に関する機能が多様化し、また、複写機、プリンタ等では画像形成後のシートを処理する機能も付加されており、画像処理装置の有する機能は多い。このため、表示面積の広い表示部を有する画像処理装置であっても、必ずしも全ての機能を１つの選択画面に表すことはできない。そこで、機能を複数の選択画面に分けて表すことが一般的になっている。しかし、使用者は、表示している選択画面に所望の機能が含まれているか否かを調べる必要があり、また、所望の機能が選択画面に含まれていないときは、選択画面を切り替える操作をしなければならない。当然、画像処理装置の機能が多くなるほど、選択画面切り替えの操作は多くなる。
【０００５】
表示している選択画面に所望の機能が含まれているか否かを調べること、および選択画面を切り替えることの煩雑さを解消する一法として、特開２００２−３５４１７０号公報には、ショートカットキーと呼ぶ表示項目を設け、機能を選択するまでに基本画面や選択画面においてなされた操作をショートカットキーに対応付けて記憶させておき、各画面にショートカットキーを表示して、ショートカットキーを操作することで、機能が表されていない画面からでも機能を直接選択できるようにすることが開示されている。ショートカットキーは複数設けることができる。
【特許文献１】特開２００２−３５４１７０号公報
【発明の開示】
【発明が解決しようとする課題】
【０００６】
ところが、上記公報の方法でも、表示画面の大きさの制約を受けるため、一度に表示し得るショートカットキーの数には限度がある。したがって、たとえ多くのショートカットキーを設けても、表示している画面に所望のショートカットキーが含まれているか否かを調べる必要や、ショートカットキーを表示する画面を切り替える必要が生じて、やはり操作が煩雑になる。
【０００７】
また、従来は、一度に選択し得る機能の数は１つに限られており、いくつかの機能のパラメータを設定するときには、１つの機能のパラメータを設定した後、選択画面に戻って、次の機能を選択しなければならない。このため、機能を選択するための操作が一層煩雑になっている。
【０００８】
本発明は、このような問題点に鑑みてなされたもので、パラメータの設定に際して機能を容易に選択することが可能な使い勝手のよい画像処理装置を提供することを目的とする。
【課題を解決するための手段】
【０００９】
上記目的を達成するために、本発明では、実行に際してパラメータを参照する複数の機能を有する画像処理装置であって、表示部を備え、所定の基本画面を表示部に表示し、基本画面を表示している状態で使用者から所定の指示が与えられたときに、使用者に機能を選択させるために複数の機能を表した機能選択画面を表示部に表示し、機能選択画面に表した機能のいずれかが選択されたときに、選択された機能のパラメータを設定するためのパラメータ設定画面を表示部に表示するものにおいて、値を入力するための複数のキーを備え、使用者からの指示に従って機能とキー操作により入力される値とを対応付けて記憶しておき、表示部に基本画面を表示している状態でキー操作により値が入力されたときに、入力された値に対応付けている機能のパラメータ設定画面を表示部に表示するようにする。
【００１０】
この画像処理装置では、機能とキー操作によって入力される値とをあらかじめ対応付けておくだけで、基本画面を表示している状態で、つまり、機能を選択するための選択画面を表示したり選択画面を切り替えたりすることなく、機能を直接選択することができる。キー操作で入力し得る値の数は多いから、全ての機能に値を対応付けることも可能である。入力する値は番号（数値）であってもよいし文字であってもよい。
【００１１】
前記目的を達成するために、本発明ではまた、実行に際してパラメータを参照する複数の機能を有する画像処理装置であって、表示部を備え、使用者に機能を選択させるために複数の機能を表した機能選択画面を表示部に表示し、機能選択画面に表した機能のいずれかが選択されたときに、選択された機能のパラメータを設定するためのパラメータ設定画面を表示部に表示するものにおいて、機能選択画面を表示している状態で複数の機能の選択を受け付け、パラメータ設定画面を表示するときに、表示部の表示領域を選択された機能の数に応じた数に区分けして、選択された全ての機能のパラメータ設定画面を一度に表示するようにする。
【００１２】
この画像処理装置では、複数の機能をまとめて選択して、それらのパラメータを設定する画面を同時に表示することができる。したがって、パラメータを設定した後に、機能選択画面に戻る必要性が低減する。
【００１３】
ここで、パラメータ設定画面の態様を選択された機能の数に応じて変えるようにするとよい。一度に表示するパラメータ設定画面の数が多くなるほど、各画面に割り当て得る表示領域は狭くなり、単に縮小表示するだけでは、表示が見づらくなる。しかし、選択された機能の数に応じて表示態様を変えることで、各パラメータ設定画面を見やすい状態に保つことができる。
【発明の効果】
【００１４】
使用者からの指示に従って機能とキー操作により入力される値とを対応付けて記憶しておき、表示部に基本画面を表示している状態でキー操作により値が入力されたときに、入力された値に対応付けている機能のパラメータ設定画面を表示部に表示するようにした本発明の画像処理装置では、選択画面を表示することなく機能を選択することができて、画像処理装置が有する機能の数にかかわりなく、機能の選択が容易になり、使い勝手が向上する。
【００１５】
また、機能選択画面を表示している状態で複数の機能の選択を受け付け、パラメータ設定画面を表示するときに、表示部の表示領域を選択された機能の数に応じた数に区分けして、選択された全ての機能のパラメータ設定画面を一度に表示するようにした本発明の画像処理装置では、パラメータを設定した後に機能選択画面に戻る必要性が低減し、使い勝手が向上する。
【発明を実施するための最良の形態】
【００１６】
以下、本発明の一実施形態について図面を参照しながら説明する。本実施形態の画像処理装置１の構成を図１に模式的に示す。画像処理装置１は、制御部１０、画像読取部１１、画像記憶部１２、画像処理部１３、画像形成部１４、シート処理部１５、操作部１６、表示部１７、対応記憶部１８、画面記憶部１９、および通信部２０を備える。
【００１７】
制御部１０は、画像処理装置１全体の動作を制御する。画像読取部１１は、原稿から画像を読み取り、読み取った画像を表す画像データを生成し、画像記憶部１２は、画像データを記憶する。画像処理部１３は、画像データに濃度調整、エッジ強調、地肌除去、縮小・拡大、一部消去等の諸処理を施す。画像形成部１４は、画像データが表す画像をシートに形成（印刷）する。シート処理部１５は、画像が形成されたシートをステープルで綴じたり、小冊子状とするために折り畳んだりする。
【００１８】
操作部１６は、使用者からの入力操作を受け付け、表示部１７は、操作案内、装置の設定状況等の諸情報を表示する。対応記憶部１８は、後述するように、機能と番号との対応付けを記憶し、画面記憶部１９は、後述するように、操作画面の表示態様を記憶している。通信部２０は、ＬＡＮケーブル２０ａおよび公衆電話回線２０ｂに接続されており、ＬＡＮケーブル２０ａを介してＬＡＮ（ローカルエリアネットワーク）上のパーソナルコンピュータ等と通信し、また、公衆電話回線２０ｂを介して他のファクシミリ装置と通信する。
【００１９】
このような構成の画像処理装置１は、複写機、プリンタ、ファクシミリ装置、およびイメージスキャナとして動作し、これら４種の動作モード（複写モード、プリンタモード、ファクシミリモード、スキャナモード）を有する。複写モードでは、画像読取部１１によって原稿から画像を読み取り、読み取った画像を画像形成部１４によってシートに形成する。プリンタモードでは、通信部２０によってパーソナルコンピュータからのデータを受信し、受信したデータが表す画像を画像処理部１４によってシートに形成する。複写モードおよびプリンタモードでは、シート処理部１５によって画像形成後のシートをステープルで綴じたり折り畳んだりすることもできる。
【００２０】
ファクシミリモードでは、画像読取部１１によって原稿から画像を読み取り、読み取った画像を表す画像データを通信部２０によって他のファクシミリ装置に送信し、また、通信部２０によって他のファクシミリ装置からの画像データを受信し、受信した画像データが表す画像を画像形成部１４によってシートに形成する。スキャナモードでは、画像読取部１１によって原稿から画像を読み取り、読み取った画像を表す画像データを通信部２０によってパーソナルコンピュータに送信する。
【００２１】
操作部１６および表示部１７の外観を図２に模式的に示す。表示部１７はカラーの液晶表示器より成る。操作部１６は、表示部１７の液晶表示器に重ねて配置されたタッチパネル１６ａと、数値を入力するためのテンキーを含む十数個の操作キー１６ｂより成る。
【００２２】
表示部１７は前述のように操作案内を表示するが、操作案内の画面には、使用者が画像処理装置１に行わせる処理の名称を表したボタンとして表される。使用者は表示されたボタンを操作する（操作部１６のタッチパネルのうちボタン上の部位に触れる）ことで、そのボタンを選択することができ、画像処理装置１は、選択されたボタンに対応する処理を実行する。
【００２３】
画像処理装置１が、アイドリング状態にあるとき、すなわち、何の処理も行っていないときに表示する操作画面を基本画面という。基本画面の例を図３に示す。基本画面には、動作モードの切り替えを指示するための４つのボタンＢ１が含まれており、設定されている動作モードに対応するボタンＢ１は、他とは異なる色で表される。
【００２４】
画像処理装置１は、画像の読み取り、画像の形成、画像（画像データ）の送受信、画像形成後のシートの処理に関して数多くの機能を有している。それらの機能のほとんどは実行に際してパラメータを参照し、各機能を実行したときの結果はパラメータの値によって異なる。パラメータの参照を必要とする機能には、例えば、画像の縮小・拡大、画像の枠消し（本のような原稿から読み取った画像の周辺部および中央部に帯状に現れる暗い部分の消去）等がある。画像の縮小・拡大の機能については、縮小率または拡大率がパラメータであり、画像の枠消しの機能については、周辺部を消去するか否か、中央部を消去するか否か、および消去する幅が、それぞれパラメータである。いずれの機能のパラメータもデフォルトの値が用意されているが、使用者が値を設定することもできる。
【００２５】
画像処理装置１は、使用者がパラメータの値を設定しようとする機能を容易に選択することができるようにするために、複数の機能名を表した機能選択画面（以下、単に選択画面ともいう）を表示部１７に表示する。基本画面が表示されている状態で、「機能選択」と記したボタンＢ２が操作されると、表示が機能選択画面に切り替えられる。機能選択画面の例を図４に示す。この例では、機能名を記した１６個のボタンＢ４が表わされている。
【００２６】
表示部１７に選択画面が表示されている状態で、機能名を記したボタンＢ４のいずれかが操作されると、そのボタンの機能についてのパラメータを設定するためのパラメータ設定画面（以下、単に設定画面ともいう）に表示が切り替えられる。パラメータ設定画面の例を図６に示す。これは、枠消しの機能のパラメータを設定するための画面である。
【００２７】
画像処理装置１が有する機能は多いため、全ての機能は複数の選択画面に分けて表される。図４に示したように、各選択画面には「前へ」と記したボタンＢ５、と「次へ」と記したボタンＢ６が表されており、これらのボタンＢ５、Ｂ６が操作されると、別の選択画面へ表示が切り替えられる。なお、選択画面には「基本画面へ」と記されたボタンＢ７も表されており、このボタンＢ７が操作されると、表示は基本画面に戻る。
【００２８】
画像処理装置１では、使用者は一度に複数の機能を選択することができる。複数の機能が選択されたとき、画像処理装置１は、表示部１７の表示領域を選択された機能の数に応じて区分けし、各機能のパラメータを設定するための設定画面をまとめて表示する。複数の機能が選択された場合に表示する設定画面の例を図７に示す。この例は、枠消しの機能と縮小・拡大の機能の２つが選択されたときのものである。使用者は、表示されているいずれの設定画面についても操作することができ、複数の機能のパラメータを並行して設定することが可能である。
【００２９】
図６と図７の枠消し機能の設定画面より明らかなように、画像処理装置１は、複数の設定画面を表示するとき、表示する項目（内容）、表示項目の配置等の表示態様を、各設定画面を単独で表示するときとは相違させる。これは、複数の設定画面を表示しながら、表示の見やすさを確保するためである。ただし、態様を変えて表示しても、表示部１７に一度に表示し得る設定画面の数には限度があるから、一度に選択することができる機能は所定数、例えば４つに限られている。
【００３０】
基本画面、選択画面、設定画面等の操作画面の態様は画面記憶部１９（図１）に記憶されており、設定画面については、表示領域を区分する数に応じた複数の態様が記憶されている。なお、図７の例では、表示領域を左右方向に分割しているが、上下方向に分割するようにしてもよい。
【００３１】
図４に示したように、各選択画面には、「複数選択」と記したボタンＢ８と「選択終了」と記したボタンＢ９も表される。「複数選択」のボタンＢ８は、複数の機能を選択すること、または複数の機能を選択しないことを指示するために用いられる。「選択終了」のボタンＢ９は、複数の機能を選択することを指示したときに、選択可能な上限値に達する前に選択を終了することを指示するために用いられる。選択した機能の数が上限値に達したときは、ボタンＢ９を操作しなくても、表示は設定画面に切り替えられる。また、「複数選択」のボタンＢ８を操作することなく機能を選択したときは、表示は直ちに設定画面に切り替えられる。
【００３２】
画像処理装置１では、機能と操作部１６のテンキーの操作により入力する番号とを対応付けておき、基本画面または選択画面が表示されている状態で、テンキーの操作により番号を入力することで、その番号に対応する機能を選択することができる。個々の番号の入力終了は操作部１６の「割り込み」と記したキーを操作することで指示する。機能に対応付けられている番号は、図４に示すように、選択画面の機能名を記したボタンＢ４上に表される。任意の機能に番号を対応付けることが可能であり、全ての機能に番号を対応付けることも可能である。図４において、番号が表されていない機能は、番号が対応付けられていないものである。
【００３３】
機能と入力する数値の対応付けは、機能／番号対応付け画面（以下、単に対応付け画面ともいう）を表示部１７に表示した状態で行う。基本画面が表示されている状態で、「機能／番号対応付け」と記したボタンＢ３が操作されると、表示が対応付け画面に切り替わる。
【００３４】
対応付け画面の例を図５に示す。対応付け画面には、選択画面と同様に、機能名を記したボタンＢ４、「前へ」と記したボタンＢ５、「次へ」と記したボタンＢ６、「基本画面へ」と記したボタンＢ７が表され、これらのほかに、「番号なし」と記したボタンＢ１０が表される。対応付け画面も複数あり、ボタンＢ５、Ｂ６は対応付け画面の切り替えに用いられる。
【００３５】
使用者は、機能名を記したボタンＢ４を操作し、次いでテンキーの操作により番号を入力することで、その機能に番号を対応付けることができる。また、機能名を記したボタンＢ４を操作し、次いで、「番号なし」と記したボタンＢ１０を操作することで、その機能とボタンとの対応を消去ことができる。機能と番号との対応は対応記憶部１８（図１）に記憶される。なお、異なる機能に同一の番号を対応付けることはできない。
【００３６】
基本画面から対応付け画面に切り替えた直後は、機能名を記したボタンＢ４は、機能に対応付けられた番号の小さいものから順に表される。したがって、使用者は、対応付け画面を表示させることにより、機能とボタンとの対応を容易に知ることができる。
【００３７】
使用者は、選択画面を表示している状態で、テンキーを操作して番号を入力することにより、対応する機能を選択することができるし、基本画面を表示している状態でも、テンキーを操作して番号を入力することにより、対応する機能を選択することができる。また、選択画面を表示している状態では、「複数選択」のボタンＢ８を操作しておくことで、テンキーの操作により複数の機能を選択することも可能であり、さらに、テンキー操作による機能の選択と、機能名を記したボタンＢ４の操作による機能の選択を併用することも可能である。
【００３８】
基本画面を表示しているときの画像処理装置１の処理の流れを図８に示す。まず、「機能選択」と記したボタンＢ２が操作されたか否かを判定する（ステップ＃１００）。ボタンＢ２が操作されたときは、機能選択画面を表示して（＃１０２）、基本画面での処理を終了する（選択画面での処理に移行する）。ボタンＢ２が操作されなかったときは、「機能／番号対応付け」と記したボタンＢ３が操作されたか否かを判定する（＃１０４）。ボタンＢ３が操作されたときは、機能／番号対応付け画面を表示して（＃１０６）、処理を終了する。
【００３９】
ボタンＢ３が操作されなかったときは、動作モード切替ボタンＢ１等の他のボタンが操作されたか否かを判定する（＃１０８）。いずれかのボタンが操作されたときは、そのボタンに対応する操作画面を表示して（＃１１０）、処理を終了する。
【００４０】
いずれのボタンも操作されなかったときは、テンキーが操作されたか否かを判定し（＃１１２）、テンキーが操作されなかったときはステップ＃１００に戻る。テンキーが操作されたときは、その操作によって入力された番号に対応付けている機能があるか否かを判定する（＃１１４）、入力された番号に対応する機能がないときはステップ＃１００に戻り、入力された番号に対応する機能があるときは、その機能のパラメータ設定画面を表示して（＃１１６）、処理を終了する。
【００４１】
機能選択画面を表示しているときの画像処理装置１の処理の流れを図９に示す。まず、複数の機能を選択することを不可とし（ステップ＃２００）、次いで、機能名を記したボタンＢ４のいずれかが操作されたか否かを判定する（＃２０２）。ボタンＢ４が操作されたときは、ステップ＃２０８に進む。
【００４２】
ボタンＢ４が操作されなかったときは、テンキーが操作されたか否かを判定する（＃２０４）。テンキーが操作されたときは、その操作によって入力された番号に対応付けている機能があるか否かを判定し（＃２０６）、なければステップ＃２０２に戻る。入力された番号に対応付けている機能があるときはステップ＃２０８に進む。
【００４３】
ステップ＃２０８では、複数の機能の選択を可としているか否かを判定し（＃２０８）、可としていれば、ステップ＃２０２でのボタンＢ４の操作またはステップ＃２０４でのテンキーの操作によって選択された機能を記憶する（＃２１０）。次いで、記憶した機能の数が上限値に達したか否かを判定し（＃２１２）、達していなければステップ＃２０２に戻る。記憶した機能の数が上限値に達したときは、ステップ＃２１０で記憶した全ての機能のパラメータ設定画面を表示部１７に表示して（＃２１４）、選択画面での処理を終了する（パラメータ設定画面での処理に移行する）。ステップ＃２０８の判定で複数の機能の選択を不可としているときは、ステップ＃２０２でのボタンＢ４の操作またはステップ＃２０４でのテンキーの操作によって選択された機能のパラメータ設定画面を表示して（＃２１６）、処理を終了する。
【００４４】
ステップ＃２０４の判定でテンキーが操作されなかったときは、「複数選択」と記したボタンＢ８が操作されたか否かを判定する（＃２１８）。ボタンＢ８が操作されたときは、複数の機能の選択を可としているか否かを判定し（＃２２０）、可としているときは、複数機能の選択を不可とし（＃２２２）、不可としているときは、複数機能の選択を可として（＃２２４）、ステップ＃２０２に戻る。
【００４５】
ステップ＃２１８の判定でボタンＢ８が操作されなかったときは、「選択終了」と記したボタンＢ９が操作されたか否かを判定する（＃２２６）。ボタンＢ９が操作されたときは、ステップ＃２１０で記憶した機能があるか否かを判定し（＃２２８）、なければステップ＃２０２に戻る。記憶した機能があるときは、記憶した機能が複数であるか否かを判定し（＃２３０）、単数であればその機能のパラメータ設定画面を表示して（＃２３２）、また、複数であればそれら全ての機能のパラメータ設定画面を表示して（＃２３４）、処理を終了する。
【００４６】
ステップ＃２２６の判定でボタンＢ９が操作されなかったときは、「基本画面へ」と記したボタンＢ７が操作されたか否を判定し（＃２３６）、ボタンＢ７が操作されたときは基本画面を表示して（＃２３８）、処理を終了する。ボタンＢ７が操作されなかったときは、「前へ」と記したボタンＢ５または「次へ」と記したボタンＢ６が操作されたか否かを判定し（＃２４０）、いずれも操作されなかったときは、ステップ＃２０２に戻る。ボタンＢ５、Ｂ６のいずれかが操作されたときは、操作されたボタンに応じて選択画面を切り替えて（＃２４２）、ステップ＃２０２に戻る。
【００４７】
機能／番号対応付け画面を表示しているときの画像処理装置１の処理の流れを図１０に示す。まず、機能名を記したボタンＢ４のいずれかが操作されたか否かを判定する（ステップ＃３００）。ボタンＢ４が操作されたときは、その機能を記憶して（＃３０２）、ステップ＃３００に戻る。ボタンＢ４が操作されなかったときは、ステップ＃３０２で記憶した機能があるか否かを判定し（＃３０４）、なければステップ＃３００に戻る。
【００４８】
記憶した機能があるときは、テンキーが操作されたか否かを判定する（＃３０６）。テンキーが操作されたときは、その操作によって入力された番号が使用中であるか否か、すなわち、その番号に対応付けている機能があるか否かを判定し（＃３０８）、なければ、ステップ＃３０２で記憶した機能と入力された番号とを対応付けて、対応記憶部１８に記憶する。入力された番号が使用中のときは、その番号が既にいずれかの機能に対応付けられていることを示すメッセージを表示部１７に表示して、ステップ＃３００に戻る。
【００４９】
ステップ＃３０６でテンキーが操作されなかったときは、「番号なし」と記したボタンＢ１０が操作されたか否かを判定する（＃３１４）。ボタンＢ１０が操作されたときは、ステップ＃３０２で記憶した機能とその機能に対応付けられている番号を、対応記憶部１８の記憶内容から消去して（＃３１６）、ステップ＃３００に戻る。
【００５０】
ボタンＢ１０が操作されなかったときは、「基本画面へ」と記したボタンＢ７が操作されたか否を判定し（＃３１８）、ボタンＢ７が操作されたときは基本画面を表示して（＃３２０）、処理を終了する。ボタンＢ７が操作されなかったときは、「前へ」と記したボタンＢ５または「次へ」と記したボタンＢ６が操作されたか否かを判定し（＃３２２）、いずれも操作されなかったときは、ステップ＃３００に戻る。ボタンＢ５、Ｂ６のいずれかが操作されたときは、操作されたボタンに応じて対応付け画面を切り替えて（＃３２４）、ステップ＃３００に戻る。
【００５１】
画像処理装置１では、機能と番号とを対応付けておき、テンキーの操作によって番号を入力することで機能を選択できるようにしているので、使用者は選択画面の中から所望の機能を捜したり、選択画面を切り替えたりする必要がなく、機能の選択を容易に行うことができて、使い勝手がよい。また、複数の機能をまとめて選択し、選択した機能のパラメータを一度に設定することができるので、使い勝手が一層よくなっている。
【００５２】
なお、本実施形態では、機能に対応付けるものを番号すなわち数値としているが、他の値、例えばアルファベット等の文字を機能に対応付けるようにしてもよい。機能と文字とを対応付けるには、テンキーの操作による入力を数値として解釈するか文字として解釈するかを切り替えるためのボタンを、基本画面、選択画面および対応付け画面に表示するか、あるいは、テンキーの操作による入力の解釈を切り替えるためのキーを操作部１６に設ければよい。
【図面の簡単な説明】
【００５３】
【図１】本発明の一実施形態の画像処理装置の構成を模式的に示すブロック図。
【図２】上記画像処理装置の操作部および表示部の外観を模式的に示す図。
【図３】上記画像処理装置が表示する基本画面の例を示す図。
【図４】上記画像処理装置が表示する機能選択画面の例を示す図。
【図５】上記画像処理装置が表示する機能／番号対応付け画面の例を示す図。
【図６】上記画像処理装置が表示するパラメータ設定画面の例を示す図。
【図７】上記画像処理装置が一度に表示する複数のパラメータ設定画面の例を示す図。
【図８】基本画面を表示しているときの上記画像処理装置の処理の流れの概略を示すフローチャート。
【図９】機能選択画面を表示しているときの上記画像処理装置の処理の流れの概略を示すフローチャート。
【図１０】機能／番号対応付け画面を表示しているときの上記画像処理装置の処理の流れの概略を示すフローチャート。
【符号の説明】
【００５４】
１    画像処理装置
１０    制御部
１１    画像読取部
１２    画像記憶部
１３    画像処理部
１４    画像形成部
１５    シート処理部
１６    操作部
１６ａ  タッチパネル
１６ｂ  操作キー
１７    表示部
１８    対応記憶部
１９    画面記憶部
２０    通信部
２０ａ  ＬＡＮケーブル
２０ｂ  公衆電話回線
【図１】
2005268835.tif 000003
【図２】
2005268835.tif 000004
【図３】
2005268835.tif 000005
【図４】
2005268835.tif 000006
【図５】
2005268835.tif 000007
【図６】
2005268835.tif 000008
【図７】
2005268835.tif 000009
【図８】
2005268835.tif 000010
【図９】
2005268835.tif 000011
【図１０】
2005268835.tif 000012